(57)【要約】      （修正有）【課題】外枠体の内面やインキカートリッジ取出用開口部に引掛かることなく、外枠体内に対する内枠体の上下移動が円滑に行われる反転式印判を提供する。【解決手段】内枠体を外枠体２に対し下方へ付勢する弾性部材６を有する反転式印判１であって、外枠体２の内面とインキカートリッジ５の外面のうち、一方に傾斜部５ｂ、他方に案内部２ｅを設け、外枠体２内に対する内枠体の上下移動によって傾斜部５ｂと案内部２ｅが摺接し、インキカートリッジ５を内枠体の所定位置に復帰させる。【選択図】図６
2016068489.tif 000002
【特許請求の範囲】
【請求項１】
外枠体と、
該外枠体の上下に延びたガイド部材によってガイドされて弾性部材の付勢下に上下移動自在であって、上方部に、インキパッドを下向きに収納したインキカートリッジを挿脱自在に有し、下方部に、印判部材を捺印可能に露呈させる印判開口を有する内枠体と、
前記外枠体の下方部に枢着されて、前記外枠体内に対する前記内枠体の上下移動によって転動する前記印判部材と、
前記外枠体の上方部と前記内枠体の上方部の間に配置され、前記内枠体を前記外枠体に対し下方へ付勢する前記弾性部材と、
を有する反転式印判において、
前記外枠体の内面と前記インキカートリッジの外面のうち、一方に傾斜部、他方に案内部を設け、前記外枠体内に対する前記内枠体の上下移動によって前記傾斜部と前記案内部が摺接し、前記インキカートリッジを前記内枠体の所定位置に復帰させることを特徴とする反転式印判。
【発明の詳細な説明】
【技術分野】
【０００１】
本発明は、反転式印判であって、常時は、本体内で印字体を有する印判部材が上向きにされてインキパッドに押圧され、前記印字体にインキ塗布が行なわれている状態が保持されており、一方、捺印時は、捺印操作によって前記印判部材が反転して下向きになって下降し、下向きの印字体が反転式印判の本体から露呈されて捺印可能になる反転式印判に関するものである。
【背景技術】
【０００２】
従来から知られているこの種の反転式印判は、内枠体にスリットと反転ガイドを形成し、固定軸を前記スリットに嵌合させた印判部材を、スライド自在に前記内枠体内に装着するとともに、前記内枠体のスライドにより前記反転ガイドに印判部材の反転軸を係合させて印判部材を反転させるものがある（特許文献１参照）。
また、この種の反転式印判は、印判部材を反転させた時にロック状態にすることにより、印字体やインキカートリッジを交換したり、インキを補充したりするといった作業を容易にすることができる。
【０００３】
しかし、急速且つ激しい捺印操作や落下等の衝撃によって、インキカートリッジが内枠体の所定位置から外れて、外枠体の内面やインキカートリッジ取出用開口部に引掛かり、外枠体内に対する内枠体の上下移動に不具合を起こすという問題が生じていた。
【先行技術文献】
【特許文献】
【０００４】
【特許文献１】特開２０１４−１５６０４０号公報
【発明の概要】
【発明が解決しようとする課題】
【０００５】
本発明は、インキカートリッジが内枠体の所定位置から外れたとしても、前記インキカートリッジを前記内枠体の所定位置に復帰させることによって、外枠体の内面やインキカートリッジ取出用開口部に引掛かることなく、外枠体内に対する内枠体の上下移動が円滑に行われる反転式印判の提供を目的とする。
【課題を解決するための手段】
【０００６】
本発明の反転式印判は、
外枠体と、
該外枠体の上下に延びたガイド部材によってガイドされて弾性部材の付勢下に上下移動自在であって、上方部に、インキパッドを収納したインキカートリッジを下向きに着脱自在に有し、下方部に、印判部材を捺印可能に露呈させる印判開口を有する内枠体と、
前記外枠体の下方部に枢着されて、前記外枠体内に対する前記内枠体の上下移動によって転動する前記印判部材と、
前記外枠体の上方部と前記内枠体の上方部の間に配置され、前記内枠体を前記外枠体に対し下方へ付勢する前記弾性部材と、
を有する反転式印判において、
前記外枠体の内面と前記インキカートリッジの外面のうち、一方に傾斜部、他方に案内部を設け、前記外枠体内に対する前記内枠体の上下移動によって前記傾斜部と前記案内部が摺接し、前記インキカートリッジを前記内枠体の所定位置に復帰させることを特徴とする。
【０００７】
なお、本明細書における「上下方向」は、内枠体が水平面上で固定されている状態において、捺印のために外枠体を押す方向を下方向とし、所定の捺印を終えて外枠体が前記付勢部材によって戻される方向を上方向とする。
【発明の効果】
【０００８】
本発明の反転式印判によれば、インキカートリッジが内枠体の所定位置から外れたとしても、前記インキカートリッジを前記内枠体の所定位置に復帰させることによって、外枠体の内面やインキカートリッジ取出用開口部に引掛かることなく、外枠体内に対する内枠体の上下移動が円滑に行われる反転式印判を構成することができる。
【発明を実施するための形態】
【０００９】
次に、本発明を実施形態の反転式印判を図に基づいて説明する。
反転式印判１は、図１及び図２に示すように、外枠体２と、外枠体２内を上下にスライド動自在にガイドされる内枠体３と、外枠体２の先端に枢着される反転自在な印判部材４と、内枠体３の上端に取付けられてインキパッド５ａを収納するインキカートリッジ５と、外枠体２に対し内枠体３を下方向に付勢するスプリングコイル等の弾性部材６と、内枠体３の下端に施蓋保持される内枠体キャップ７（図４，図５，図７）と、外枠体２の上面に施蓋される天面カバー８とからなる。
【００１０】
外枠体２は、その左右壁に、内枠体３を係止ロックする外枠体係止爪２ａと、該外枠体係止爪２ａの内枠体３とのロックを解除するための解除レバー２ｂとを有する。外枠体係止爪２ａは、弾性部分を介して外枠体２と一体化している。外枠体２の前後側壁には、印判部材４の水平回転軸４ａを枢着する軸孔２ｃ（図２）を有する。
【００１１】
内枠体３の前後側壁には、図１に示すように、印判部材４の水平回転軸４ａをガイドする縦溝３ｂが形成されている。内枠体３の左右側壁の中間高さ位置の外面には、外枠体係止爪２ａと係合する内枠体係止爪３ａが設けられている。該内枠体係止爪３ａは、弾性部分を介して内枠体３に一体化している。
内枠体３の下端には、印判部材４を露呈させる印判開口３ｃが形成されている。内枠体３の左右側壁の下方部の外面には、内枠体キャップ７を内枠体３に弱い力で固着するための内枠体凹凸部１１ａが形成されている。
内枠体３の前後側壁の下方部の内面には、捺印状態の印判部材４の方向を被捺印面に高精度に平行にして保持しかつ内枠体３に対する印判部材４の所定の水平方向位置を確保するための上下方向へ延びた内枠印面規制凹凸部１２ａを有する。
【００１２】
外枠体２内における内枠体３の下降に伴って印判部材４を反転させる回転機構９は、図３に示されるように、縦溝３ｂの中間高さ位置の側方に形成された第１板カム９ａと、印判部材４に形成される第２板カム９ｂとからなる。
第１板カム９ａは、図３に示すように、第１凹弧カム部９ａａと、該第１凹弧部９ａａの両側に滑らかに接続する左右第１凸弧カム部９ａｌ、９ａｒとを有する。
第２板カム９ｂは、印判部材４の外縁上部に形成され、第１板カム９ａの凹弧カム部９ａａと嵌り合う第２凸弧カム部９ｂｂと、左右第１凸弧カム部９ａｌ、９ａｒと嵌り合う左右第２凹弧カム部９ｂｌ、９ｂｒとを有する。
【００１３】
印判部材４の第２板カム９ｂの両側には、捺印状態の印判部材４の方向を被捺印面に高精度に平行にして保持しかつ内枠体３に対する印判部材４の所定の水平方向位置を確保するために、内枠印面規制凹凸部１２ａと係合する、上下方向に延びた印判印面規制凹凸部１２ｂを有する。
【００１４】
インキカートリッジ５は、インキパッド５ａを収納する。インキパッド５ａはスポンジ、フェルトなどの多孔体にインキを含浸させたものである。
前記インキカートリッジ５は、外枠体２の前後側壁の一方に設けた挿脱開口２ｄから、天面カバー８を外した状態で内枠体内に挿脱可能に収容する。前記インキカートリッジ５は、インキカートリッジ自体を交換する場合や、前記インキパッド５ａにインキ補充する場合に前記挿脱開口２ｄから取り外し、カートリッジ交換またはインキ補充作業を行った後、再度挿脱開口２ｄから差し込んで所定位置まで戻すことができる。
【００１５】
前記外枠体２の内面と前記インキカートリッジ５の外面のうち一方に傾斜部、他方に案内部を設ける。図２では、インキカートリッジ５に傾斜部５ｂを外枠体２の内面に案内部２ｅを設けた構成を示す。
ここで傾斜部とは、上方又は下方に向かって高さが徐々に低くなる構成をいい、案内部とは、必ずしも傾斜面である必要はなく、傾斜部に対して摺接する形状であれば、凸形状等であってもよいものである。
傾斜部５ｂは、インキカートリッジ５の外面のうち、前記挿脱開口２ｄと対向する側面に設ける。前記傾斜部５ｂは、インキカートリッジ５の側面略中央を頂部にして上下方向に向かって高さが徐々に低くなる形状とする。この場合、外枠体内に対する内枠体の上下両方向の移動に対して傾斜部５ｂを形成し、上方向を上傾斜部５ｂｕ、下方向を下傾斜部５ｂｄとする。
ただし、前記傾斜部５ｂは、インキカートリッジ５の下方向又は上方向のどちらか一方に向かって設けてもよい。この場合、傾斜部５ｂを有しない方向は外枠体の内面に設けた傾斜部に対して摺接する案内部となる。
【００１６】
一方、前記外枠体２の前後側壁内面の一方に、前記傾斜部５ｂと摺接する案内部２ｅを設ける。前記案内部２ｅは、前記傾斜部５ｂに摺接し、前記インキカートリッジ５を前記内枠体３の所定位置まで復帰させる。前記案内部２ｅは、前記上傾斜部５ｂｕと摺接する下案内部２ｅｄと、前記下傾斜部５ｂｄと摺接する上案内部２ｅｕとからなる。前記インキカートリッジ５を復帰させることができれば、前記案内部２ｅは、必ずしも傾斜面である必要がなく、凸形状等、如何なる形状であってもよい。
【００１７】
また先に述べたように、インキカートリッジ５に案内部を設けた場合は、外枠体２の前後側壁内面に傾斜部を設けることになる。この場合、傾斜部を設ける位置は、上方向、下方向、両方向の何れの位置にも設けることができ、インキカートリッジ５の対応する位置に案内部を設ければよい。
【００１８】
内枠体キャップ７は、図４、図５、図７に示すように、左右キャップ側壁面の内面にキャップ凹凸部１１ｂを有し、底面及び左右キャップ側壁面にキャップ底突起１１ｃを有する。キャップ凹凸部１１ｂ及びキャップ底突起１１ｃの間には、内枠体凹凸部１１ａが係合する。
【００１９】
反転式印判１の作動は、以下の通りである。
（捺印作動）
捺印準備状態において、反転式印判１は、図１及び図２に示すように、弾性部材６の伸張付勢力によって内枠体３が外枠体２から押し出されている。外枠体２によって下向き状態で支持されたインキパッド５ａは、上向きの印判部材４に当接して、印判部材４にインキパッド５ａからインキが塗布されるとともに、内枠体３と外枠体２の上下方向の位置関係が決定されて保持されている。
捺印するために、弾性部材６の伸張付勢力に抗して外枠体２すなわち天面カバー８を押圧する。この操作により、内枠体３が外枠体２内へ押し込まれ、回転機構９の作用によって、印判部材４が反転して下向きになる。
内枠体３が外枠体２にさらに押し込まれると、下向きになった印判部材４は、内枠印面規制凹凸部１２ａと印判印面規制凹凸部１２ｂの係合によって、印判部材４の方向を被捺印面に高精度に平行にして保持しかつ内枠体３に対する印判部材４の所定の水平方向位置を確保する。
【００２０】
上述した回転機構９が印判部材４を反転させる作動は、図３に示すように、内枠体３が外枠体２内へ一点鎖線で示す位置付近まで押し込まれると、第２板カム９ｂの右第２凹弧カム部９ｂｒと第１板カム９ａの右第１凸弧カム部９ａｒが嵌り合い、印判部材４が図３の反時計方向に回動する。
内枠体３が外枠体２内へさらに押し込まれると、第２板カム９ｂの第２凸弧カム部９ｂｂと第１板カム９ａの第１凹弧カム部９ａａが嵌り合い、印判部材４が図３の反時計方向にさらに回動する。
内枠体３が外枠体２内へさらに押し込まれると、第２板カム９ｂの左第２凹弧カム部９ｂｌと第１板カム９ａの左第１凸弧カム部９ａｌが嵌り合い、印判部材４がさらに回動して下向きになる。
内枠体３が外枠体２内へさらに押し込まれると、下向きの内枠体３が下降して外枠体２内へさらに押し込まれると、印判部材４が印判開口３ｃから露呈され、捺印がなされる。
【００２１】
捺印が終了して、外枠体２すなわち天面カバー８を押圧から開放すると、弾性部材６の伸張付勢力によって内枠体３が外枠体２から押し出されて、捺印準備状態に戻る。この戻り作動において、回転機構９は上述した作動と逆な作動をして、印判部材４が上向きになる。
【００２２】
（ロック作動）
捺印準備状態において、内枠体３の下端に内枠体キャップ７を係合させる。キャップ凹凸部１１ｂ及びキャップ底突起１１ｃと内枠体凹凸部１１ａの係合により、内枠体キャップ７は、指で容易に取り外せる程度の弱い力によって内枠体３に装着される。
この状態で、弾性部材６の伸張付勢力に抗して外枠体２すなわち天面カバー８を押圧すると、内枠体３が外枠体２内へ押し込まれ、図４に示すように、外枠体係止爪２ａと内枠体係止爪３ａが係合する。この外枠体係止爪２ａと内枠体係止爪３ａの係合が、内枠体３と外枠体２の位置関係を維持すなわちロックする。ロック状態では、印判部材４が印判開口３ｃから数ｍｍ突出し、内枠体３の下端から内枠体キャップ７を外せば、捺印も可能である。
【００２３】
ロック解除は、外枠体２の左右壁にある解除レバー２ｂを押し込むことによって、外枠体係止爪２ａと内枠体係止爪３ａの係合を解くことによって行う。ロック解除がなされると、反転式印判１は、捺印準備状態になる。
【００２４】
（インキカートリッジの復帰）
前記ロック状態において、落下等の衝撃が生じると、図７に示すように、インキカートリッジ５が内枠体３の所定位置から外れ、前記挿脱開口２ｄまで飛び出すことがある。しかし、この状態においてロック解除がなされると、前記上案内部２ｅｕが前記下傾斜部５ｂｄに摺接して前記インキカートリッジ５を押戻し、図２に示す、前記内枠体３の所定位置まで前記インキカートリッジ５を復帰させる。
また、前記捺印準備状態において、落下等の衝撃が生じると、図６に示すように、インキカートリッジ５が内枠体３の所定位置から外れ、前記外枠体内面まで飛び出すことがある。しかし、この状態において弾性部材６の伸張付勢力に抗して外枠体２すなわち天面カバー８を押圧すると、内枠体３が外枠体２内へ押し込まれ、前記下案内部２ｅｄが前記上傾斜部５ｂｕに摺接して前記インキカートリッジ５を押戻し、図５に示す、前記内枠体３の所定位置まで前記インキカートリッジ５を復帰させる。
【００２５】
以上、本発明を前記実施形態により説明したが、本発明はこれらに限定されるものではなく、本発明の要旨を逸脱しない範囲内で種々の改良、変形が可能であることは勿論である。
【図面の簡単な説明】
【００２６】
【図１】本発明の実施形態の反転式印判の右側面中央縦断面図である。
【図２】本発明の実施形態の反転式印判の正面中央縦断面図である。
【図３】本発明の実施形態の反転式印判の印判部材の作動説明図である。
【図４】本発明の実施形態の反転式印判のロック状態を示す、右側面中央縦断面である。
【図５】本発明の実施形態の反転式印判のロック状態を示す、正面中央縦断面図である。
【図６】本発明の実施形態の反転式印判のインキカートリッジが外れた状態を示す、正面中央縦断面図である。
【図７】本発明の実施形態の反転式印判のロック状態でインキカートリッジが外れた状態を示す、正面中央縦断面図である。
【符号の説明】
【００２７】
１  反転式印判
２  外枠体
２ａ  外枠体係止爪
２ｂ  解除レバー
２ｃ  軸孔
２ｄ  挿脱開口
２ｅ  案内部
２ｅｕ  上案内部
２ｅｄ  下案内部
３  内枠体
３ａ  内枠体係止爪
３ｂ  縦溝
３ｃ  印判開口
４  印判部材
４ａ  水平回転軸
５  インキカートリッジ
５ａ  インキパッド
５ｂ 傾斜部
５ｂｕ  上傾斜部
５ｂｄ  下傾斜部
６  弾性部材
７  印面キャップ
８  天面カバー
９  カム機構
９ａ  第１カム
９ｂ  第２カム
１０  ロック機構
１１ａ  内枠体凹凸部
１１ｂ  キャップ凹凸部
１１ｃ  キャップ底突起
１２ａ  内枠印面規制凹凸部
１２ｂ  印判印面規制凹凸部
【図１】
2016068489.tif 000003
【図２】
2016068489.tif 000004
【図３】
2016068489.tif 000005
【図４】
2016068489.tif 000006
【図５】
2016068489.tif 000007
【図６】
2016068489.tif 000008
【図７】
2016068489.tif 000009